(57)【要約】      （修正有）【課題】硬貨計数機内で、硬貨の送りが順調で、硬貨の計数が正確であり、硬貨計数機が空転しても、硬貨が引っ掛りなく落下することができ、そして、硬貨計数機内で硬貨が引っ掛ったとき、硬貨計数機を逆転するだけで故障を排除することができる。【解決手段】台座１０と、案内具２０と、回転盤３０と、押え具７０と、玉４０と、ピン５０と、硬貨計数具８０とを含む硬貨計数機１の構造において、前記台座には、一つの貫通孔１２と、二つの玉用溝１３，１５と、一つのピン用溝１４とを設けた傾斜板１１が設け、前記案内具は、傾斜板に固定され、その中央に円形孔２１を開設し、その上方に前記円形孔と連通した硬貨通路２２を設け、前記回転盤は、その直径が案内具の円形孔の直径よりもやや小さく、前記押え具は、その下には案内具の円形孔の直径と同じ円弧が設け、前記硬貨計数具は、傾斜板に固定され、案内具の硬貨通路の出口端に位置している。【選択図】図１
0003115084.tif 000002
【実用新案登録請求の範囲】
【請求項１】
台座と、案内具と、回転盤と、押え具と、玉と、ピンと、硬貨計数具とを含む硬貨計数機の構造において、
前記台座には、一つの貫通孔と、二つの玉用溝と、一つのピン用溝とを設けた傾斜板が設けられ、
前記案内具は、前記傾斜板に固定され、その中央に円形孔を開設し、その上方に前記円形孔と連通した硬貨通路を設け、この硬貨通路の延長線を前記円形孔の中心に通過し、
前記傾斜板の上方の前記玉用溝と前記ピン用溝とは、前記案内具の前記円形孔と前記硬貨通路との連通箇所に位置し、
前記回転盤は、その直径が前記案内具の前記円形孔の直径よりも少し小さく、その上では直径が硬貨の直径よりも少し大きい硬貨計数用貫通孔を等角度に分けて複数に設け、
前記硬貨計数用貫通孔には、その周縁に案内斜面が設けられ、その中央に固定孔が開設され、その背面の前記硬貨計数用貫通孔と前記固定孔との他の箇所では円弧形リブが等角度に分けて複数に設けられ、
前記円弧形リブは、その高さが前記硬貨の厚さよりも少し大きく、且つその間に硬貨押えリブと通路とを設け、
前記回転盤は、前記案内具の前記円形孔内に設置され、前記台座の前記傾斜板に寄り、前記固定孔に固定されたシャフトが前記硬貨計数用貫通孔を挿通してモータと連結し、このモータによって駆動されて回転し、
前記玉は、少なくとも一つを有し、その底部に弾性素子を設け、前記傾斜板に設けた前記玉用溝内に設置されて突出状態になり、
前記ピンは、一つが設けてあり、その底部に弾性素子を設け、前記傾斜板に設けた前記ピン用溝内に設置されて突出状態になり、
前記押え具は、その下に前記案内具の前記円形孔の直径と同じ円弧を設け、前記案内具の前記硬貨通路の上方に固定され、
前記押え具の円弧の直径は、前記案内具の前記円形孔の直径と同じであり、
前記硬貨計数具は、前記傾斜板に固定され、前記案内具の前記硬貨通路の出口端に位置することを特徴とする硬貨計数機の構造。
【請求項２】
前記各弾性素子は、バネであることを特徴とする請求項１に記載の硬貨計数機の構造。
【請求項３】
前記案内具と前記傾斜板とは、一体成形されたことを特徴とする請求項１に記載の硬貨計数機の構造。
【考案の詳細な説明】
【技術分野】
【０００１】
本考案は、硬貨計数機の構造に係り、特に案内および定位効果を持つ玉とピンとの設置により硬貨の伝送がもっと順調になる硬貨計数機の構造に関するものである。
【背景技術】
【０００２】
遊技機においては、硬貨を使用し、硬貨を投入口から投入したり、硬貨を排出口から排出しているものがある。
【考案の開示】
【考案が解決しようとする課題】
【０００３】
ところが、従来、硬貨を使用する遊技機は、次のような（Ａ）〜（Ｃ）の欠点があった。
（Ａ）、硬貨を計数する機能がなく、硬貨を排出する機能だけを有し、且つ遊戯の過程中に得た硬貨の数量を表示することもできない。
（Ｂ）、電子技術の進歩に合わせて、硬貨の遊戯方法をもっと多様化にすることができない。
（Ｃ）、硬貨計数機の構造の設計が不良なので、硬貨の伝送が不順調であり、更に、硬貨が係れることもあった。
【０００４】
そこで、本考案の主な目的は、硬貨計数機内で、硬貨の伝送が順調になり、且つ硬貨の計数が精確になる硬貨計数機の構造を提供する。
【０００５】
また、本考案の次の目的は、硬貨計数機が空転しても、硬貨が係れなく落下することができる硬貨計数機の構造を提供する。
【０００６】
更に、本考案の他の目的は、硬貨計数機内で硬貨が係れた場合には、硬貨計数機を逆転するだけで、故障を排除できる硬貨計数機の構造を提供する。
【課題を解決するための手段】
【０００７】
本考案は、台座と、案内具と、回転盤と、押え具と、玉と、ピンと、硬貨計数具とを含む硬貨計数機の構造において、
前記台座には、一つの貫通孔と、二つの玉用溝と、一つのピン用溝とを設けた傾斜板が設けられ、
前記案内具は、前記傾斜板に固定され、その中央に円形孔を開設し、その上方に前記円形孔と連通した硬貨通路を設け、この硬貨通路の延長線を前記円形孔の中心に通過し、
前記傾斜板の上方の前記玉用溝と前記ピン用溝とは、前記案内具の前記円形孔と前記硬貨通路との連通箇所に位置し、
前記回転盤は、その直径が前記案内具の前記円形孔の直径よりも少し小さく、その上では直径が硬貨の直径よりも少し大きい硬貨計数用貫通孔を等角度に分けて複数に設け、
前記硬貨計数用貫通孔には、その周縁に案内斜面が設けられ、その中央に固定孔が開設され、その背面の前記硬貨計数用貫通孔と前記固定孔との他の箇所では円弧形リブが等角度に分けて複数に設けられ、
前記円弧形リブは、その高さが前記硬貨の厚さよりも少し大きく、且つその間に硬貨押えリブと通路とを設け、
前記回転盤は、前記案内具の前記円形孔内に設置され、前記台座の前記傾斜板に寄り、前記固定孔に固定されたシャフトが前記硬貨計数用貫通孔を挿通してモータと連結し、このモータによって駆動されて回転し、
前記玉は、少なくとも一つを有し、その底部に弾性素子を設け、前記傾斜板に設けた前記玉用溝内に設置されて突出状態になり、
前記ピンは、一つが設けてあり、その底部に弾性素子を設け、前記傾斜板に設けた前記ピン用溝内に設置されて突出状態になり、
前記押え具は、その下に前記案内具の前記円形孔の直径と同じ円弧を設け、前記案内具の前記硬貨通路の上方に固定され、
前記押え具の円弧の直径は、前記案内具の前記円形孔の直径と同じであり、
前記硬貨計数具は、前記傾斜板に固定され、前記案内具の前記硬貨通路の出口端に位置することを特徴とする。
【考案の効果】
【０００８】
本考案の硬貨計数機の構造は、次のような（Ａ）〜（Ｃ）の効果がある。
（Ａ）、硬貨計数機内で、硬貨の伝送が順調になり、且つ硬貨の計数が精確になる。
（Ｂ）、硬貨計数機が空転しても、硬貨が係れなく落下することができる。
（Ｃ）、硬貨計数機内で硬貨が係れた場合には、硬貨計数機を逆転するだけで故障を排除することができる。
【考案を実施するための最良の形態】
【０００９】
以下、添付図面を参照して本考案の好適な実施の形態を詳細に説明する。
【００１０】
図１〜図１６は、本考案の実施例を示すものである。
【００１１】
図１乃至図６において、本考案に係る硬貨計数機１の構造は、台座１０と、案内具２０と、回転盤３０と、押え具７０と、玉４０、６０と、ピン５０と、硬貨計数具８０とを含む。
【００１２】
前記台座１０には、その上方に傾斜板１１が設けられている。この傾斜板１１の中央に近接する箇所には、貫通孔１２が開設されている。傾斜板１１の上方には、玉用溝１３、１５とピン用溝１４とがそれぞれ設けられている。この玉用溝１３、１５およびピン用溝１４と貫通孔１２の円心との距離は、異なっている。ピン用溝１４は、玉用溝１３、１５の間に位置する。
【００１３】
前記案内具２０は、その大きさが前記台座１０の傾斜板１１と同じであり、その中央に円形孔２１が開設され、その上方に前記円形孔２１と連通した硬貨通路２２が設けられている。
【００１４】
前記回転盤３０は、その直径が前記案内具２０の円形孔２１の直径よりも少し小さく、その上では直径が硬貨８１の直径よりも少し大きい硬貨計数用貫通孔３１を等角度に分けて複数に設けている。前記硬貨計数用貫通孔３１の周縁には、案内斜面３１１が設けられている。前記回転盤３０には、その中央に固定孔３２が開設され、その背面の硬貨計数用貫通孔３１と固定孔３２との他の箇所には円弧形リブ３４が等角度に分けて複数に設けられている。この円弧形リブ３４は、その高さが硬貨８１の厚さよりも少し大きく、且つその間には硬貨押えリブ３４１と通路３４２とを設けている。
【００１５】
前記玉４０、６０とピン５０は、その底部に弾性素子４１、６１、５１を設けている。本実施例において、前記弾性素子４１、６１、５１は、バネである。
【００１６】
前記押え具７０は、その下に前記案内具２０の円形孔２１の直径と同じ円弧７１を設けている。
【００１７】
前記硬貨計数具８０は、図示しないセンサと接続し、硬貨８１を計数する機能を有する。
【００１８】
図７に示すように、硬貨計数機１を組み立てるときには、台座１０の傾斜板１１に案内具２０を設置し、傾斜板１１の貫通孔１２を案内具２０の円形孔２１の中央に位置させ、さらに、傾斜板１１上の玉用溝１３、１５とピン用溝１４を、案内具２０の円形孔２１と硬貨通路２２との連通箇所に位置する。
【００１９】
前記回転盤３０は、案内具２０の円形孔２１内に設置され、台座１０の傾斜板１１に寄り、その固定孔３２に固定された図示しないシャフトが貫通孔１２を挿通して図示しないモータと連結している。前記回転盤３０は、このモータによって駆動されて正逆転に回転される。
【００２０】
前記玉４０、６０は、その底部に弾性素子４１、６１をそれぞれ設け、傾斜板１１に設けた玉用溝１３、１５内に設置されて突出状態になる。
【００２１】
前記ピン５０は、その底部に弾性素子５１を設け、傾斜板１１に設けたピン用溝１４内に設置されて突出状態になる。
【００２２】
前記押え具７０は、案内具２０の硬貨通路２２の上方に固定されている。前記押え具７０の円弧７１の直径は、案内具２０の円形孔２１の直径と同じであり、回転盤３０を収容する大きさである。
【００２３】
前記硬貨計数具８０は、傾斜板１１に固定され、案内具２０の硬貨通路２２の出口端に位置する。
【００２４】
次に、この実施例の作用を説明する。
【００２５】
図８と図９に示すように、硬貨計数機１を作動するときには、硬貨８１が回転盤３０の硬貨用貫通孔３１内に正確に落下し、回転盤３０がモータによって時計方向に回転され、硬貨８１が硬貨押えリブ３４１と円形孔２１とに案内されて図９におけるピン５０の位置まで押えられ、硬貨８１は、ピン５０に止められ、押え具７０に押えられるので、硬貨通路２２へ前進し、図１０に示すように、硬貨８１は、硬貨通路２２内に進入して硬貨押えリブ３４１に押えられるので、硬貨計数具８０に順調に通過できて、その数量が計数され、硬貨計数具８０は計数の結果を電子設備によって表示する。
【００２６】
また、図１１と図１２に示すように、硬貨８１の落下が不順調であって係れた場合には、モータによって回転盤３０を逆転すると、玉６０がピン５０の円弧線の前端に位置するので、硬貨８１は、玉６０の表面に案内されて弾性素子６１に押上げることにより、玉６０とピン５０とを順調に超えることができて、図１２の正常位置に到達し、そうすると、図８乃至図１０の時計方向に伝動する動作を重複することができる。
【００２７】
図１３と図１４に示すように、遊技機が正常に運転するときに、硬貨計数機１は硬貨の数量を反映するために、硬貨８１が落下すると回転盤３０は回転され、回転盤３０が空転する場合には、硬貨８１がピン５０の前端に落下してピン５０に止められ、このとき、回転盤３０が持続に回転し、且つ硬貨用貫通孔３１の周縁の案内斜面３１１によって硬貨８１を排除し、そうすると、硬貨８１は硬貨用貫通孔３１内に正確に落下して伝送される。
【００２８】
図１５と図１６に示すように、硬貨８１の規格が異常であり、又は伝送が不確実の原因で硬貨８１が玉４０を超えた場合には、玉４０がピン５０の円弧線の前端に位置するので、硬貨８１は、玉４０の表面に案内されて弾性素子６１に押上げることにより、玉４０とピン５０とを順調に超えることができて、図８乃至図１０の時計方向に伝動する動作を重複することができる。
【００２９】
この結果、この実施例の硬貨計数機１の構造は、次のような（Ａ）〜（Ｃ）の効果がある。
（Ａ）、硬貨計数機内で、硬貨の伝送が順調になり、且つ硬貨の計数が精確になる。
（Ｂ）、硬貨計数機が空転しても、硬貨が係れなく落下することができる。
（Ｃ）、硬貨計数機内で硬貨が係れた場合には、硬貨計数機を逆転するだけで故障を排除することができる。
【００３０】
なお、本考案においては、案内具２０と傾斜板１１とを一体成形することにより、部品点数を低減することも可能である。
【産業上の利用可能性】
【００３１】
本考案に係る案内および定位効果を持つ玉とピンとの設置を、他の遊技機にも適用することができる。
【図面の簡単な説明】
【００３２】
【図１】硬貨計数機の分解斜視図である。
【図２】回転盤の斜め上方から視た斜視図である。
【図３】回転盤の斜め下方から視た斜視図である。
【図４】回転盤の底面図である。
【図５】台座に案内具を設置した状態の斜視図である。
【図６】図５の矢印Ａによる玉およびピンの拡大図である。
【図７】硬貨計数機の斜視図である。
【図８】硬貨を伝送するときの第１の作動状態を説明する図である。
【図９】硬貨を伝送するときの第２の作動状態を説明する図である。
【図１０】硬貨を伝送するときの第３の作動状態を説明する図である。
【図１１】回転盤を逆転させて硬貨を排出するときの第１の作動状態を説明する図である。
【図１２】回転盤を逆転させて硬貨を排出するときの第２の作動状態を説明する図である。
【図１３】硬貨を排出するときの第１の作動状態を説明する図である。
【図１４】図１３の硬貨を排出するときの第１の作動状態で他の方向から視た図である。
【図１５】硬貨を排出するときの第２の作動状態を説明する図である。
【図１６】図１５の硬貨を排出するときの第２の作動状態で他の方向から視た図である。
【符号の説明】
【００３３】
１    硬貨計数機
１０  台座
１１  傾斜板
１２  貫通孔
１３  玉用溝
１４  ピン用溝
１５  玉用溝
２０  案内具
２１  円形孔
２２  硬貨通路
３０  回転盤
３１  硬貨用貫通孔
３１１  案内斜面
３２  固定孔
３３  固定孔台
３４  円弧形リブ
３４１  硬貨押えリブ
３４２  通路
４０  玉
４１  弾性素子
５０  ピン
５１  弾性素子
６０  玉
６１  弾性素子
７０  押え具
７１  円弧
８０  硬貨計数具
８１  硬貨
【図１】
0003115084.tif 000003
【図２】
0003115084.tif 000004
【図３】
0003115084.tif 000005
【図４】
0003115084.tif 000006
【図５】
0003115084.tif 000007
【図６】
0003115084.tif 000008
【図７】
0003115084.tif 000009
【図８】
0003115084.tif 000010
【図９】
0003115084.tif 000011
【図１０】
0003115084.tif 000012
【図１１】
0003115084.tif 000013
【図１２】
0003115084.tif 000014
【図１３】
0003115084.tif 000015
【図１４】
0003115084.tif 000016
【図１５】
0003115084.tif 000017
【図１６】
0003115084.tif 000018